(57)【特許請求の範囲】
【請求項１】
基準軸を中心とする周方向に沿って複数の時目盛り及び複数の分目盛りが形成された文字盤と、
前記文字盤を覆うように設けられ、且つ外部から前記文字盤を視認可能となる材料で構成されたカバー部材と、
前記文字盤と前記カバー部材との間に配置され、前記基準軸を中心に回動する第１の時針及び第１の分針を有する第１の時刻手段と、
前記カバー部材に着脱可能な状態で取り付けられる第２の時針及び第２の分針のうち少なくとも一方を有する第２の時刻手段と、を備えることを特徴とする学習用時計。
【請求項２】
前記カバー部材において前記基準軸と対応する位置に設けられ、且つ前記第２の時刻手段を支持する支持手段を更に備えることを特徴とする請求項１に記載の学習用時計。
【請求項３】
前記支持手段は、前記第２の時刻手段を着脱可能であって且つ回動可能な状態で支持することを特徴とする請求項２に記載の学習用時計。
【請求項４】
前記第２の時刻手段は、前記第２の時針及び前記第２の分針を有し、
前記第２の時針及び前記第２の分針には、前記支持手段に係止される係止部がそれぞれ形成されることを特徴とする請求項２又は請求項３に記載の学習用時計。
【請求項５】
前記第２の時刻手段は、前記第２の時針及び前記第２の分針を有し、
前記第２の分針の基端には、前記支持手段に向けて突出し、該支持手段に係止される被支持用凸部が形成され、
前記第２の時針の基端には、前記第２の分針の前記被支持用凸部に係止される被係止部が形成されることを特徴とする請求項２又は請求項３に記載の学習用時計。
【請求項６】
前記第２の時刻手段は、前記カバー部材に取り外し可能な状態で吸着する吸着部をさらに有し、
前記第２の時針及び前記第２の分針のうち少なくとも一方は、前記吸着部に対して回動可能な状態で支持されることを特徴とする請求項１に記載の学習用時計。
【発明の詳細な説明】
【技術分野】
【０００１】
本発明は、小学校などで教材として利用される学習用時計に関する。
【背景技術】
【０００２】
従来、時間に関する学習で用いられる学習用時計として、例えば特許文献１に記載の学習用時計が提案されている。この特許文献１に記載の学習用時計は、略円盤状をなす文字盤と、時針としての短針及び分針としての長針を有する針ユニットとを備えている。この針ユニットを構成する短針及び長針は、文字盤の中央に設けられた基準軸を中心に回転可能とされている。
【０００３】
文字盤の外周側には、時目盛り及び分目盛りが形成されている。こうした文字盤の外周縁には、文字盤に形成された時目盛り及び分目盛りに対応した時目盛り及び分目盛りが形成された補助リングが着脱可能な状態で取り付けられている。この補助リングの内周及び外周の何れか一方には、１対のカーソルが摺動自在な状態で設けられている。１対のカーソルのうち、第１のカーソルは短針に対応すると共に、第２のカーソルは長針に対応している。そして、１対のカーソルと針ユニットとを用いて時間に関する学習が行われる。
【０００４】
例えば、第１のカーソルを「１０時」の位置に配置すると共に、第２のカーソルとを「５分」の位置に配置する。そして、短針を「１１時」の位置に配置すると共に、長針を「１５分」の位置に配置する。この状態で、１対のカーソルで指す時刻と、針ユニットで指す時刻との時刻差（この場合、１時間１０分）を生徒に考えさせる。また、上記学習用時計は、Ａ時Ｂ分（例えば、１０時１０分）からＣ分後（例えば、２０分後）の時刻（この場合、１０時３０分）を求めさせる場合にも用いられる。
【先行技術文献】
【特許文献】
【０００５】
【特許文献１】特開２００４−５４１７１号公報
【発明の概要】
【発明が解決しようとする課題】
【０００６】
ところで、１対のカーソルは、実際の時計には設けられていないものである。そのため、１対のカーソルで指す時刻を正しく読み取る場合には、頭の中で各カーソルを短針と長針に置き換え、該置き換えた短針と長針とが個別に指す位置に基づき時刻を求めることになる。このような思考を小学生（特に低学年の生徒）にさせることは、非常に困難である。換言すると、１対のカーソルで指す時刻を小学生（特に低学年の生徒）に読み取らせることは非常に困難であり、上記学習用時計では時間に関する学習を適切に補助できるとは言い難かった。
【０００７】
本発明は、このような事情に鑑みてなされたものである。その目的は、時間に関する学習を適切に補助することができる学習用時計を提供することにある。
【課題を解決するための手段】
【０００８】
上記目的を達成するために、本発明の学習用時計は、基準軸を中心とする周方向に沿って複数の時目盛り及び複数の分目盛りが形成された文字盤と、前記文字盤を覆うように設けられ、且つ外部から前記文字盤を視認可能となる材料で構成されたカバー部材と、前記文字盤と前記カバー部材との間に配置され、前記基準軸を中心に回動する第１の時針及び第１の分針を有する第１の時刻手段と、前記カバー部材に着脱可能な状態で取り付けられる第２の時針及び第２の分針のうち少なくとも一方を有する第２の時刻手段と、を備えることを要旨とする。
【０００９】
上記構成によれば、第１の時刻手段は、第１の時針及び第１の分針を有すると共に、第２の時刻手段は、第２の時針及び第２の分針のうち少なくとも一方を有している。そのため、第２の時刻手段が指す時刻を小学生（特に、低学年の生徒）に容易に読み取らせることができる。したがって、時間に関する学習を適切に補助することができる。
【００１０】
本発明の学習用時計は、前記カバー部材において前記基準軸と対応する位置に設けられ、且つ前記第２の時刻手段を支持する支持手段を更に備えることが好ましい。
上記構成によれば、第２の時刻手段を構成する第２の時針及び第２の分針のうち少なくとも一方は、支持手段に支持された状態でカバー部材に取り付けられる。
【００１１】
本発明の学習用時計において、前記支持手段は、前記第２の時刻手段を着脱可能であって且つ回動可能な状態で支持することが好ましい。
上記構成によれば、第２の時刻手段を構成する第２の時針及び第２の分針のうち少なくとも一方は、カバー部材に取り付けられた状態で回動可能とされる。そのため、カバー部材に取り付けられた第２の時針及び第２の分針のうち少なくとも一方が回動不能な場合と比較して、時間に関する学習を効果的に補助できる。
【００１２】
本発明の学習用時計において、前記第２の時刻手段は、前記第２の時針及び前記第２の分針を有し、前記第２の時針及び前記第２の分針には、前記支持手段に係止される係止部がそれぞれ形成されることが好ましい。
【００１３】
上記構成によれば、第２の時針及び第２の分針は、それらの係止部が支持手段に係止されることにより、カバー部材に取り付けられる。
本発明の学習用時計において、前記第２の時刻手段は、前記第２の時針及び前記第２の分針を有し、前記第２の分針の基端には、前記支持手段に向けて突出し、該支持手段に係止される被支持用凸部が形成され、前記第２の時針の基端には、前記第２の分針の前記被支持用凸部に係止される被係止部が形成されることが好ましい。
【００１４】
上記構成によれば、第２の時針の被係止部が第２の分針の被支持用凸部に係止されることにより、第２の時針及び第２の分針は一体化される。そして、一体化された第２の時針及び第２の分針は、被支持用凸部が支持手段に係止されることにより、カバー部材に取り付けられる。
【００１５】
本発明の学習用時計において、前記第２の時刻手段は、前記カバー部材に取り外し可能な状態で吸着する吸着部をさらに有し、前記第２の時針及び前記第２の分針のうち少なくとも一方は、前記吸着部に対して回動可能な状態で支持されることが好ましい。
【００１６】
上記構成によれば、第２の時刻手段を構成する第２の時針及び第２の分針のうち少なくとも一方のカバー部材への取り付け及び取り外しを、容易に行うことができる。
【発明の効果】
【００１７】
本発明によれば、時間に関する学習を適切に補助することができる。
【図面の簡単な説明】
【００１８】
【図１】第１の実施形態における学習用時計を示す平面図。
【図２】図１における２−２線矢視断面図。
【図３】別体針ユニットがカバー部材に取り付けられる前の学習用時計を示す斜視図。
【図４】第１の短針及び第１の長針で指す時刻と、第２の短針及び第２の長針で指す時刻とが異なる様子を説明する平面図。
【図５】第２の実施形態における学習用時計を示す斜視図。
【図６】別体針ユニットがカバー部材に取り付けられた状態を説明する断面図。
【図７】第３の実施形態における学習用時計を示す斜視図。
【図８】第４の実施形態における学習用時計を示す斜視図。
【図９】第１の短針及び第１の長針で指す時刻と、第２の短針及び第２の長針で指す時刻とが異なる様子を説明する平面図。
【図１０】第５の実施形態において、カバー部材に第２の短針が取り付けられた状態の学習用時計を示す平面図。
【図１１】第５の実施形態において、カバー部材に第２の短針及び第２の長針が取り付けられた状態の学習用時計を示す平面図。
【発明を実施するための形態】
【００１９】
（第１の実施形態）
以下、本発明を具体化した一実施形態を図１〜図４に従って説明する。
図１及び図２に示すように、本実施形態の学習用時計１１は、合成樹脂で構成される本体ケース１２を備えている。この本体ケース１２の前面側（図２では左面側）には、平面視略円形状をなす凹部１３が形成されている。また、本体ケース１２において凹部１３の底部よりも後側には、収容部１４（図１では破線で示す。）が形成されている。この収容部１４は、凹部１３の底部における中央から図１における右斜め上方に向けて形成されている。そして、凹部１３の底部２６ａの中央には、収容部１４内外を連通する貫通孔１５が形成されている。また、本体ケース１２の側壁において図１における右斜め上方には、収容部１４内と外部とを連通する第１の連通孔（図示略）が形成されている。さらに、本体ケース１２の側壁において図１における左斜め上方には、凹部１３内と外部とを連通する第２の連通孔１６（図３参照）が形成されている。
【００２０】
凹部１３内には、合成樹脂で構成される円環状の表示プレート１７が回動可能な状態で収容されている。この表示プレート１７の前面には、分単位の分数字（０、５、…５０、５５）Ａｆが周方向に沿って等間隔に印字されている。こうした表示プレート１７には、周方向において第２の連通孔１６と同一位置に配置される操作ノブ１８が取り付けられている。そして、表示プレート１７は、操作ノブ１８がユーザに操作されると、その操作に基づき回動する。
【００２１】
また、凹部１３の底部には、厚紙で構成される円形状の文字盤１９が接着されている。この文字盤１９は、表示プレート１７の前面側に配置されている。こうした文字盤１９の周縁には、１２個の切欠部２０が周方向に沿って等間隔に形成されている。そして、表示プレート１７に印字された各分数字Ａｆは、切欠部２０を介して外部から視認することができる。
【００２２】
また、文字盤１９の前面において周方向で互いに隣り合う切欠部２０同士の間には、周方向に沿って等間隔に配置される４つの分目盛りＢｆが印字されている。また、文字盤１９の前面側において各切欠部２０よりも径方向内側には、１時間単位の時数字（１、２、…１１、１２）Ｂｚが周方向に沿って等間隔に印字されている。この時数字Ｂｚが、時目盛りに相当する。
【００２３】
収容部１４内には、歯車機構２１（図２では二点鎖線で示す。）が収容されている。この歯車機構２１には、文字盤１９の中央から前方へ突設された基準軸の一例としての第１の回動軸２２Ａと、該第１の回動軸２２Ａを軸中心とする略円筒形状の筒部を有する第２の回動軸２２Ｂとが動力伝達可能な状態で連結されている。これら各回動軸２２Ａ，２２Ｂは、凹部１３の貫通孔１５を貫通しており、該回動軸２２Ａ，２２Ｂの先端は、収容部１４外に位置している。ただし、第１の回動軸２２Ａの先端のほうが、第２の回動軸２２Ｂの先端よりも前方に位置している。
【００２４】
そして、第２の回動軸２２Ｂの先端（前端）には第１の時針の一例としての第１の短針２３が取り付けられると共に、第１の回動軸２２Ａの先端（前端）には第２の分針の一例としての第１の長針２４とが取り付けられている。したがって、本実施形態では、第１の短針２３及び第１の長針２４により、第１の時刻手段が構成される。なお、第１の短針２３と第１の長針２４とは、互いに異なる色で着色されたものであることが好ましい。
【００２５】
また、歯車機構２１には、図１において歯車機構２１の右斜め上方に配置される操作ドラム２５が動力伝達可能な状態で連結されている。この操作ドラム２５の大部分は収容部１４内に収容される一方、操作ドラム２５の一部は、本体ケース１２から上記第１の連通孔を介して外部に突出している。そして、ユーザが操作ドラム２５を回動させると、該操作ドラム２５で発生した駆動力が歯車機構２１及び回動軸２２Ａ，２２Ｂを介して第１の短針２３及び第１の長針２４に伝達される。その結果、第１の短針２３及び第１の長針２４が、第１の回動軸２２Ａを中心に回動する。なお、第１の短針２３は、第１の長針２４が３６０°回転した場合に、３０°だけ回転する。
【００２６】
また、本体ケース１２の前面側は、文字盤１９を覆う有底略円筒形状のカバー部材（「レンズ」ともいう。）２６が設けられている。このカバー部材２６は、該カバー部材２６が本体ケース１２に取り付けられた状態であっても外部から文字盤１９、第１の短針２３及び第１の長針２４が視認できるような透明な材料で構成されている。こうしたカバー部材２６は、略円盤状の底部２６ａと、該底部２６ａの後側に位置する円筒部２６ｂとを有している。カバー部材２６の底部２６ａの中央、即ち回動軸２２Ａ，２２Ｂに対応する位置には、平面視略円形状をなす支持孔２８と該支持孔２８を包囲する略リング状の突出部２９とを有する支持部（支持手段）３０が設けられている。
【００２７】
この支持部３０は、図２に示すように、第１の短針２３及び第１の長針２４とは別体の第２の短針（第２の時針）３１及び第２の長針（第２の分針）３２を有する第２の時刻手段としての別体針ユニット３３を支持可能とされている。第２の短針３１は、第１の短針２３と同一色又は第１の短針２３の色に近い色に着色されると共に、第２の長針３２は、第１の長針２４と同一色又は第１の長針２４の色に近い色に着色されている。こうした第２の長針３２における基端３２ａの前側には、図３に示すように、ユーザによって操作される操作つまみ３４が突設されている。また、第２の長針３２における基端３２ａの後側には、支持部３０の支持孔２８内に着脱可能な状態で挿入される被支持用凸部３５が突設されている。第２の短針３１の基端３１ａには、第２の長針３２の被支持用凸部３５が貫通される略円環状の被係止部３６が形成されている。
【００２８】
そして、別体針ユニット３３をカバー部材２６に取り付ける場合には、第２の長針３２の被支持用凸部が第２の短針３１の被係止部３６内に挿通され、第２の短針３１と第２の長針３２とが一体化される。そして、第２の長針３２の被支持用凸部３５がカバー部材２６の支持孔２８内に挿入される。すなわち、別体針ユニット３３が、支持部３０を介してカバー部材２６に取り付けられる。このようにカバー部材２６に取り付けられた第２の短針３１及び第２の長針３２は、被支持用凸部３５を中心として個別に回動可能とされている。
【００２９】
そして、図４に示すように、第２の短針３１が「１１時」の位置に設置されると共に、第２の長針３２が「００分」の位置に設置される場合、ユーザは、別体針ユニット３３が指す時刻が１１時００分であることを容易に読み取ることができる。これは、一対のカーソルを用いて時刻を指す場合とは異なり、頭の中で各カーソルを短針と長針に置き換える必要がないためである。また、第１の短針２３及び第１の長針２４によって１２時１５分が指されている場合、第２の短針３１及び第２の長針３２が指す時刻（１１時００分）との時刻差を、ユーザは学習用時計１１を用いて考えることができる。
【００３０】
また、例えば、１１時００分から１５分後の時刻を求めさせる場合、ユーザは、第２の短針３１及び第２の長針３２で１１時００分を指すと共に、第１の短針２３及び第１の長針２４でも１１時００分を指す。この状態で、ユーザは、第１の長針２４の位置を００分から１５分後の位置（この場合、１５分の位置）まで回動させる。そして、ユーザは、第１の短針２３及び第１の長針２４が指す時刻（この場合、１１時１５分）を読み取る。
【００３１】
したがって、本実施形態では、以下に示す効果を得ることができる。
（１）別体針ユニット３３は、第２の短針３１及び第２の長針３２を有している。そのため、別体針ユニット３３の代わりに一対のカーソルを用いる従来の場合と比較して、別体針ユニット３３で指す時刻を小学生（特に、低学年の生徒）に容易に読み取らせることができる。したがって、時間に関する学習を適切に補助することができる。
【００３２】
（２）文字盤１９の外周側に摺動可能な一対のカーソルを用いて時刻を指すという従来の方法は、小学生の授業などで使用される教科書に記載されていない方法である。そのため、小学校の教師や生徒は、カーソルの使用方法などを理解した上で、従来の学習用時計を用いる必要がある。しかし、一対のカーソルを用いて時刻を指すことは、通常の生活の中ではなじみの薄い作業である。この点、本実施形態では、一対のカーソルの代わりに、第２の短針３１及び第２の長針３２で時刻を指すことになる。短針と長針で時刻を指すことは、通常の生活の中でも非常になじみの深い作業である。したがって、本実施形態の学習用時計１１は、小学生（特に、低学年の生徒）にとって非常に扱いやすい時計であるということができる。また、短針及び長針（この場合、第２の短針３１及び第２の長針３２）で時刻を指す方法は、教科書に記載された方法であるため、時間に関する学習を適切に補助することができる。
【００３３】
（３）本実施形態の別体針ユニット３３は、カバー部材２６に着脱自在である。そのため、２つの時刻（例えば、１２時１０分及び１２時４０分）の時刻を求めさせたり、第１の時刻（例えば１２時１０分）からＡ分後（例えば２０分後）の時刻を求めさせたりする場合には、別体針ユニット３３をカバー部材２６に取り付ければよい。その一方で、時刻の読み取る学習を行う場合、別体針ユニット３３は不要であるため、不要となる別体針ユニット３３をカバー部材２６から取り外せばよい。すなわち、学習内容に応じて別体針ユニット３３をカバー部材２６に取り付けたり、カバー部材２６から取り外したりすることができる。
【００３４】
（４）カバー部材２６に取り付けられた第２の短針３１及び第２の長針３２は、回動可能とされている。そのため、カバー部材２６に取り付けた状態で別体針ユニット３３で指す時刻を変更することができ、ひいては時間に関する学習をより適切に補助することができる。
【００３５】
（５）第２の短針３１の被係止部３６を第２の長針３２の被支持用凸部３５に係合させることにより、第２の短針３１及び第２の長針３２を一体化させることができる。そのため、第２の短針３１及び第２の長針３２を用いない場合には、第２の短針３１及び第２の長針３２を一体化させた状態で保管することができる。
【００３６】
（第２の実施形態）
次に、本発明の第２の実施形態を図５及び図６に基づき説明する。なお、第２の実施形態は、カバー部材２６に形成される支持部の形状が第１の実施形態と異なっている。したがって、以下の説明においては、第１の実施形態と相違する部分について主に説明するものとし、第１の実施形態と同一又は相当する部材構成には同一符号を付して重複説明を省略するものとする。
【００３７】
図５及び図６に示すように、カバー部材２６の底部２６ａの中央には、支持手段の一例としての支持部３０Ａが設けられている。この支持部３０Ａは、カバー部材の底部２６ａを抉るように形成された平面視略円形状の穴部４０と、該穴部４０の底面の中央から前方に突出する円形状のピン４１とを有している。
【００３８】
別体針ユニット３３において、第２の長針３２の基端３２ａには、略円柱形状をなす被支持用凸部３５Ａが突設されている。この被支持用凸部３５Ａの内径は、ピン４１の外径よりも僅かに大きいと共に、被支持用凸部３５Ａの外径は、穴部４０の口径よりも小さい。すなわち、第２の短針３１及び第２の長針３２は、被支持用凸部３５Ａの後端側が穴部４０内に収容された状態で支持部３０Ａに着脱可能であって且つ回動可能な状態で支持される。
【００３９】
したがって、本実施形態によれば、上記第１の実施形態と同等の効果を得ることができる。
（第３の実施形態）
次に、本発明の第３の実施形態を図７に基づき説明する。なお、第３の実施形態は、支持手段がカバー部材２６に一体的に形成されていない点が第１及び第２の各実施形態と異なっている。したがって、以下の説明においては、第１及び第２の各実施形態と相違する部分について主に説明するものとし、第１及び第２の各実施形態と同一又は相当する部材構成には同一符号を付して重複説明を省略するものとする。
【００４０】
図７に示すように、本実施形態のカバー部材２６の底部２６ａの中央には、支持手段の一例としての支持部材３０Ｂが取り付けられている。この支持部材３０Ｂは、略円盤状をなす基部４５と、該基部４５の前面から前方に突出する略円柱形状のピン部４６とを有している。このピン部４６は、基部４５の中央に設けられている。基部４５の裏面側には、弱粘着性のシール（例えば、両面テープ）が設けられている。そのため、支持部材３０Ｂは、カバー部材２６から取り外すことが可能とされている。
【００４１】
別体針ユニット３３において、第２の短針３１の基端３１ａには、支持部材３０Ｂのピン部４６が貫通可能な被支持用孔（係止部）４７が形成されている。また、第２の長針３２の基端３２ａには、支持部材３０Ｂのピン部４６が貫通可能な被支持用孔（係止部）４８が形成されている。すなわち、本実施形態では、第２の短針３１及び第２の長針３２は、支持部材３０Ｂに支持されることにより一体化される。こうした第２の短針３１及び第２の長針３２は、支持部材３０Ｂに支持された状態で個別に回動可能である。
【００４２】
したがって、本実施形態では、上記各実施形態における効果（１）〜（４）と同等の効果を得ることができる。
（第４の実施形態）
次に、本発明の第４の実施形態を図８及び図９に基づき説明する。なお、第４の実施形態は、支持手段が別体針ユニットと一体化している点が第１〜第３の各実施形態と異なっている。したがって、以下の説明においては、第１〜第３の各実施形態と相違する部分について主に説明するものとし、第１〜第３の各実施形態と同一又は相当する部材構成には同一符号を付して重複説明を省略するものとする。
【００４３】
図８及び図９に示すように、第２の時刻手段の一例としての別体針ユニット３３Ａは、第２の短針３１と第２の長針３２とを備えており、第２の短針３１及び第２の長針３２は、個別に回動可能とされている。また、第２の短針３１と第２の長針３２の基端３１ａ，３２ａには、吸着部の一例としての吸盤５０が設けられている。そして、別体針ユニット３３Ａは、その吸盤５０をカバー部材２６に吸着させることにより、該カバー部材２６に取り付けられる。この場合であっても、第２の短針３１及び第２の長針３２は、個別に回動可能とされている。すなわち、本実施形態では、吸盤５０が、支持手段としても機能する。
【００４４】
したがって、本実施形態では、上記各実施形態における効果（１）〜（４）と同等の効果に加え、以下に示す効果を得ることができる。
（６）別体針ユニット３３Ａは、吸盤５０による吸着力でカバー部材２６に取り付けられる。そのため、別体針ユニット３３Ａのカバー部材２６への取り付け及びカバー部材２６からの取り外しを容易に行うことができる。
【００４５】
（第５の実施形態）
次に、本発明の第５の実施形態を図１０及び図１１に基づき説明する。なお、第５の実施形態は、第２の短針３１及び第２の長針３２が回動不能な点が第１〜第４の各実施形態と異なっている。したがって、以下の説明においては、第１〜第４の各実施形態と相違する部分について主に説明するものとし、第１〜第４の各実施形態と同一又は相当する部材構成には同一符号を付して重複説明を省略するものとする。
【００４６】
図１０及び図１１に示すように、第２の短針３１Ａ及び第２の長針３２Ａは、粘着性を有する合成樹脂で構成されている。そして、第２の短針３１Ａ及び第２の長針３２Ａは、カバー部材２６の底部２６ａに貼付けられる。この場合、第２の短針３１Ａ及び第２の長針３２Ａで指す時刻を変更する場合には、第２の短針３１Ａ及び第２の長針３２Ａをカバー部材２６から剥がし、該第２の短針３１Ａ及び第２の長針３２Ａを再び貼付ける。
【００４７】
したがって、本実施形態では、上記各実施形態における効果（１）〜（３）と同等の効果に加え、以下に示す効果を得ることができる。
（７）本実施形態では、第２の短針３１Ａ及び第２の長針３２Ａをカバー部材２６に取り付けるために必要な支持手段を設ける必要がないため、学習用時計１１を、安価に製造することができる。
【００４８】
なお、上記各実施形態は以下のような別の実施形態に変更してもよい。
・第４の実施形態において、別体針ユニット３３Ａを、磁力によってカバー部材２６に取り付けてもよい。例えば、カバー部材２６の内側に第１の磁石を取り付け、別体針ユニット３３Ａには、吸盤５０の代わりに、第２の磁石を設けてもよい。この場合、第１の磁石と第２の磁石との引力によって、別体針ユニット３３Ａが、カバー部材２６に取り付けられる。
【００４９】
・第３の実施形態において、支持部材３０Ｂを設けなくてもよい。この場合、カバー部材２６の底部２６ａには、前方に向けて突出するピン部を設けてもよい。そして、このピン部が第２の短針３１及び第２の長針３２の被支持用孔（係止部）４７，４８内を挿通することにより、第２の短針３１及び第２の長針３２が、カバー部材２６に取り付けられる。
【００５０】
・各実施形態において、支持手段を介してカバー部材２６に取り付けられる第２の短針３１及び第２の長針３２は、回動不能であってもよい。この場合、第２の短針３１及び第２の長針３２で指す時刻を変更する場合には、第２の短針３１及び第２の長針３２をカバー部材２６から取り外し、その後、再び取り付けることになる。
【００５１】
・各実施形態において、別体針ユニット３３，３３Ａは、第２の短針３１及び第２の長針３２の何れか一方を備えた構成であってもよい。例えば、第２の短針３１を備えた別体針ユニット３３，３３Ａを用いた場合には、時間単位での時間に関する学習を行うことができる。また、第２の長針３２を備えた別体針ユニット３３，３３Ａを用いた場合には、分単位での時間に関する学習を行うことができる。
【００５２】
・各実施形態において、カバー部材２６は、外部から文字盤１９を視認できるような材料であれば半透明のカバーであってもよい。
・第１〜第４の各実施形態において、別体針ユニット３３，３３Ａを、カバー部材２６から取り外し不能としてもよい。
【００５３】
次に、上記各実施形態及び別の実施形態から把握できる技術的思想を以下に追記する。
（イ）前記第２の時針は、前記被係止部が前記被支持用凸部に係止された状態で、前記第２の時針に対して相対的に回動可能であることを特徴とする学習用時計。
【００５４】
（ロ）基準軸を中心とする周方向に沿って複数の時目盛り及び複数の分目盛りが形成された文字盤と、
前記文字盤を覆うように設けられ、且つ外部から前記文字盤を視認可能となる材料で構成されたカバー部材と、
前記文字盤と前記カバー部材との間に配置され、前記基準軸を中心に回動する第１の時針及び第１の分針を有する第１の時刻手段と、
前記カバー部材に回動可能な状態で取り付けられる第２の時針及び第２の分針のうち少なくとも一方を有する第２の時刻手段と、を備えることを特徴とする学習用時計。
【符号の説明】
【００５５】
１１…学習用時計、１９…文字盤、２２Ａ…基準軸の一例としての第１の回動軸、２３…第１の時刻手段を構成する第１の短針（第１の時針）、２４…第１の時刻手段を構成する第１の長針（第１の分針）、２６…カバー部材、３０，３０Ａ，３０Ｂ…支持部、３１，３１Ａ…第２の時針の一例としての第２の短針、３１ａ…基端、３２，３２Ａ…第２の分針の一例としての第２の長針、３２ａ…基端、３３，３３Ａ…第２の時刻手段の一例としての別体針ユニット、３５，３５Ａ…被支持用凸部、３６…被係止部、４７，４８…係止部の一例としての被支持用孔、５０…吸着部、支持手段の一例としての吸盤、Ｂｆ…分目盛り、Ｂｚ…時目盛りの一例としての時数字。
【図１】
0005450327.tif 000002
【図２】
0005450327.tif 000003
【図３】
0005450327.tif 000004
【図４】
0005450327.tif 000005
【図５】
0005450327.tif 000006
【図６】
0005450327.tif 000007
【図７】
0005450327.tif 000008
【図８】
0005450327.tif 000009
【図９】
0005450327.tif 000010
【図１０】
0005450327.tif 000011
【図１１】
0005450327.tif 000012